(57)【要約】【課題】ワンハンドでバッテリーの着脱を行えるマイクロホン装置を提供する。【解決手段】発言ユニット１０の側面から底面にかけて設けられたバッテリー収納部１０ａの側面開口部に対向する面にバッテリー２０を発言ユニット１０から取り外す際に操作される解除ボタン５０を設ける。【選択図】図３
2009181937.tif 000002
【特許請求の範囲】
【請求項１】
マイクロホンを備えた台座を有し、上記台座には、少なくとも上記マイクロホンを駆動するためのバッテリーと、上記台座の側面から底面に沿って開口されたバッテリー収納部とを備えるマイクロホン装置において、
上記バッテリーを上記バッテリー収納部に案内するガイド手段と、上記バッテリーを上記バッテリー収納部に固定する係止手段と、上記係止手段を解除する解除手段とを備え、上記解除手段は、上記バッテリー収納部の側面開口部に対向する位置に設けられていることを特徴とするマイクロホン装置。
【請求項２】
上記ガイド手段は、上記バッテリーまたは上記バッテリー収納部のいずれか一方に形成されたガイドリブと、いずれか他方に形成されたガイド溝とからなり、上記ガイド溝は、上記バッテリーを上下方向に案内する縦ガイド溝と、上記バッテリーを左右方向に案内する横ガイド溝とを備え、上記ガイドリブは、上記ガイド溝の入口から上記縦ガイド溝に入り、上記横ガイド溝を経由して所定の係止位置に案内されることを特徴とする請求項１に記載のマイクロホン装置。
【請求項３】
上記係止手段は、上記バッテリーに形成された係止凹部と、上記バッテリー収納部に形成された係止凸部とからなり、上記係止凸部は、常に上記係止凹部に向けて突出するようにバネ付勢されていることを特徴とする請求項１または２に記載のマイクロホン装置。
【請求項４】
上記解除手段は、上記係止手段のロックを解除させる解除ボタンを有し、上記解除ボタンは、上記台座の底面に設けられており、上記解除ボタンは、上記バッテリーの反側面開口部の側面に隣接していることを特徴とする請求項１，２または３に記載のマイクロホン装置。
【発明の詳細な説明】
【技術分野】
【０００１】
本発明は、駆動ユニットが内蔵された台座にマイクロホンが取り付けられた会議発言システムなどに用いられるマイクロホン装置に関し、さらに詳しく言えば、駆動ユニットに電力を供給するためのバッテリーの着脱を容易に行うことができるマイクロホン装置に関する。
【背景技術】
【０００２】
会議などの議事進行を補助する道具の１つとして会議発言システムがある。例えば特許文献１に示すように、会議発言システムとは、各会議参加者の卓前に発言ユニットを配置して、議長がそれを管理して、議事進行を正確かつ円滑に行うための装置である。
【０００３】
図７に示すように、従来の発言ユニット１は、図示しないマイクロホンが着脱可能に取り付けられるマイクロホン接続用のコネクタ２と、発言者の声などを出すスピーカ３と、発言要求を出したり、発言時に操作する発言要求ボタン４などが設けられている。
【０００４】
ワイヤレス通信方式の発言ユニット１の場合、駆動用のバッテリー５が取り付けられる。すなわち、この例において、発言ユニット１には、側面から底面にかけてバッテリー５を取り付けるためのバッテリー収納部１ａが形成されており、そこにバッテリー５が着脱可能に取り付けられている。
【０００５】
図８を併せて参照して、バッテリー収納部１ａは、発言ユニット１の側面から底面に沿って開口されており、その天井面には（図８では上面）バッテリー５をバッテリー収納部１ａ内に固定するロック手段７が設けられている。
【０００６】
ロック手段７は、弾性変形可能な板状体の一部に形成されたロック爪７１を有し、このロック爪７１をバッテリー５の上面（バッテリー収納部１ａの天井面と対向する面）側に形成された係止凹部５ａに係止することによって、バッテリー５を固定するようになっている。
【０００７】
他方において、発言ユニット１の側面には、ロック手段７を解除するための解除ボタン６が設けられている。解除ボタン６は、バッテリー収納部１ａの側面開口部に隣接して設けられている。
【０００８】
これによれば、解除ボタン６を押すことにより、解除ボタン６の他端がロック手段７の一端側に形成されたテーパー面７２に沿って押し込まれることにより、ロック手段７のロック爪７１が上に持ち上げられてバッテリー５のロックが解除され、バッテリー５をワンタッチで簡単に取り出すことができる。
【０００９】
【特許文献１】特開２００７−２６７１３４号公報
【発明の開示】
【発明が解決しようとする課題】
【００１０】
しかしながら、従来のロック機構には次のような問題があった。すなわち、ロックを解除するための解除ボタン６が、発言ユニット１の側面側に突出しているため、一方の手で解除ボタン６を押しながら、他方の手でバッテリー５を横方向にスライドさせるので、両手を使って取り外さなくてはならなかった。
【００１１】
また、解除ボタン６が発言ユニット１の側面から突出しているため、発言ユニット１を動かしたりするときに、何かに引っ掛かるなど邪魔になることもあるばかりでなく、見た目にもデザイン性を損ねていた。
【課題を解決するための手段】
【００１２】
そこで、本発明は上述した課題を解決するため、バッテリーの着脱をより簡単に行うことができるマイクロホン装置を提供することにある。
【００１３】
上述した目的を達成するため、本発明は以下に示すいくつかの特徴を備えている。請求項１に記載の発明は、マイクロホンを備えた台座を有し、上記台座には、少なくとも上記マイクロホンを駆動するためのバッテリーと、上記台座の側面から底面に沿って開口されたバッテリー収納部とを備えるマイクロホン装置において、上記バッテリーを上記バッテリー収納部に案内するガイド手段と、上記バッテリーを上記バッテリー収納部に固定する係止手段と、上記係止手段を解除する解除手段とを備え、上記解除手段は、上記バッテリー収納部の側面開口部に対向する位置に設けられていることを特徴としている。
【００１４】
請求項２に記載の発明は、上記請求項１において、上記ガイド手段は、上記バッテリーまたは上記バッテリー収納部のいずれか一方に形成されたガイドリブと、いずれか他方に形成されたガイド溝とからなり、上記ガイド溝は、上記バッテリーを上下方向に案内する縦ガイド溝と、上記バッテリーを左右方向に案内する横ガイド溝とを備え、上記ガイドリブは、上記ガイド溝の入口から上記縦ガイド溝に入り、上記横ガイド溝を経由して所定の係止位置に案内されることを特徴としている。
【００１５】
請求項３に記載の発明は、上記請求項１または２において、上記係止手段は、上記バッテリーに形成された係止凹部と、上記バッテリー収納部に形成された係止凸部とからなり、上記係止凸部は、常に上記係止凹部に向けて突出するようにバネ付勢されていることを特徴としている。
【００１６】
請求項４に記載の発明は、上記請求項１，２または３において、上記解除手段は、上記係止手段のロックを解除させる解除ボタンを有し、上記解除ボタンは、上記台座の底面に設けられており、上記解除ボタンは、上記バッテリーの反側面開口部の側面に隣接していることを特徴としている。
【発明の効果】
【００１７】
本発明によれば、バッテリーを取り外すための解除ボタンを台座の底部のバッテリー収納部の側面開口部に対向する位置に配置したことにより、例えば中指でボタンを押しながら、指の腹でバッテリーの側面を押圧して動かすことにより、片手で簡単にバッテリの脱着を行うことができる。
【発明を実施するための最良の形態】
【００１８】
次に、本発明の実施形態について図面を参照しながら説明するが、本発明はこの限りではない。図１は、本発明の一実施形態に係るマイクロホン装置の斜視図であり、図２は、マイクロホン装置を底面側から見た分解斜視図であり、図３は、マイクロホン装置の要部断面図であり、図４は、バッテリーの斜視図である。図５および図６は、バッテリーの係止状態およびロック解除手順を説明する要部断面図である。
【００１９】
図１に示すように、このマイクロホン装置は、例えば会議室などに用いられる発言システムの一部に含まれるものであり、机などの上に据え置かれる発言ユニット１０を備えている。
【００２０】
発言ユニット１０の上面には、マイクロホンが取り付けられるメス型コネクタ１１と、発言要求を出すために操作される発言要求ボタン１２とが設けられている。発言ユニット１０内には、図示しないスピーカが収納されており、発言ユニット１０の上面は、パンチング処理によって無数の孔が穿設されてなるスピーカ放音面１３が形成されている。
【００２１】
図２を併せて参照して、発言ユニット１０の一方の側面（図１では右側面、図２では左側面）には、発言ユニット１０の電源のオンオフボタン１４やコンピュータなどの外部機器と接続するための接続ポート１５、さらには、ヘッドホン端子１６やマイクロホン感度の切換スイッチ１７、スピーカのボリューム調節ツマミ１８が設けられている。
【００２２】
発言ユニット１０の他方の側面（図１では左側面、図２では右側面）には、側面から底面にかけて凹まされたバッテリー収納部１０ａが形成されており、このバッテリー収納部１０ａ内にバッテリー２０が着脱可能に取り付けられている。図４に示すように、バッテリー２０は、上面を参照符号２０ａとし、側面を参照符号２０ｂとする。
【００２３】
図３を併せて参照して、バッテリー収納部１０ａは、バッテリー２０の外形寸法にほぼ合致するように凹まされており、その内周面にはバッテリー２０の各側面２０ｂに設けられたガイド溝２１を案内する案内手段の一方としてのガイドリブ３０が設けられている。この例において、ガイドリブ３０は、バッテリー２０の両側面２０ｂに２箇所ずつ、合計４箇所設けられている。
【００２４】
図３において、バッテリー収納部１０ａの上面には、バッテリー２０を固定するためのロック手段としてのロックアーム４０が設けられている。ロックアーム４０は、弾性変形可能な板体からなり、その一端４０ａがバッテリー収納部１０ａを形成する仕切壁１９の内周面に回動可能に軸支されている。
【００２５】
ロックアーム４０の他端４０ｂは自由端であり、その下端側には、後述する解除ボタン５０によって上下に摺動するプッシュロッド４１が一体的に設けられている。ロックアーム４０のほぼ中央の下端面には、係止凸部４２が突設されている。係止凸部４２は、その先端側が仕切壁１９に形成された開口部１９ａを介してバッテリー収納部１０ａ内に向けて突出している。
【００２６】
解除ボタン５０は、一端５０ａが上記プッシュロッド４１の下端にカップリングされ、他端が発言ユニット１０の底部に向けて露出されている。解除ボタン５０は、バッテリー収納部１０ａに隣接して設けられたボタン収納部１０ｂ内に収納されている。
【００２７】
ボタン収納部１０ｂは、バッテリー収納部１０ａの側面開口部に対向する位置（図３ではバッテリー２０の右側面）に設けられている。これによれば、指先で解除ボタン５０を押した状態で、指の腹でバッテリー２０を引出側にスライドさせることで、片手でワンタッチでバッテリー２０を取り外すことができる。
【００２８】
係止凸部４２を挟んだ反対側には、係止凸部４２を常に下方向にむけて押圧するためのバネ４３が設けられている。バネ４３は、一端が固定され、他端がプッシュロッド４１の上面を押圧する圧縮バネからなり、これにより、係止凸部４２が常に下側に向けて押圧されるようになっている。
【００２９】
次に、図２および図４を参照して、バッテリー２０は、合成樹脂製の筐体内に図示しない蓄電池が収納されたいわゆる電池パックである。バッテリー２０の上面２０ａの角部から各側面２０ｂにかけてには、案内手段の他方としてのガイド溝２１が形成されている。この例において、ガイド溝２１は、ガイドリブ３０の数に合わせて各側面２０ｂに２箇所ずつ、合計４箇所形成されている。
【００３０】
図５に示すように、ガイド溝２１は、一端がバッテリー２０の上面に向けて開放され、他端がバッテリー２０の底面側に向かって形成された縦ガイド溝２１ａと、縦ガイド溝２１ａの下端からバッテリー２０の側面２０ｂに沿って平行に形成された横ガイド溝２１ｂとを備えたほぼＬ字状に形成されている。
【００３１】
これによれば、縦ガイド溝２１ａの上端から差し込まれたガイドリブ３０は、まず、縦ガイド溝２１ａに沿って案内され、下端部に突き当たった後、バッテリー２０を右側にスライドさせることで、横ガイド溝２１ｂに案内され、横ガイド溝２１ｂの先端に突き当たる位置で停止する。
【００３２】
バッテリー２０の上面２０ａには、バッテリー２０の左右方向（スライド方向）の移動を規制する係止凹部２２が設けられている。図３に示すように、係止凹部２２は、バッテリー２０の上面中央の右寄りに形成された凹部からなり、ここに発言ユニット１０側に設けられた係止凸部４２が係止されることで、バッテリー２０の左右方向の移動が拘束される。
【００３３】
次に、図５および図６を参照して、バッテリー２０の取付手順の一例について説明する。まず、図５に示すように、ガイドリブ３０をガイド溝２１の入口（縦ガイド溝２１ａの開口部）に位置を合わせしながら、バッテリー収納部１０ａの底面側からバッテリー２０を押し込んでゆく。
【００３４】
バッテリー２０を下から上に押し上げた状態、すなわち縦ガイド溝２１ａの底部にガイドリブ３０が突き当たった状態で、バッテリー２０を右側にスライドさせてゆく。これにより、ガイドリブ３０が横ガイド溝２１ｂに沿って差し込まれて突き当たり部で係止される。このとき、バッテリー２０が右側に突き当たると同時に、係止凹部２２内に係止凸部４２が落とし込まれる。
【００３５】
以上により、バッテリー収納部１０ａ内にバッテリー２０が上下方向および左右方向の移動を拘束された状態で固定される。次に、バッテリー２０を取り外すにあたっては、図６に示すように、まず、図示しない指先で解除ボタン５０を上に押し上げる。
【００３６】
これにより、ロックアーム４０の自由端側４０ｂがプッシュロッド４１を介して持ち上げられるため、係止凸部４２が係止凹部２２から持ち上げられる。これにより、バッテリー２０のロックが解除される。
【００３７】
この解除ボタン５０を押し上げたままの状態で、指を横にずらしてバッテリー２０を左側に押し出すことにより、バッテリー２０が左側にスライドして、横ガイド溝２１ａから抜け出ると同時に、バッテリー２０がバッテリー収納部１０ａから抜け落ちる。
【００３８】
これによれば、片手で解除ボタン５０の操作と、バッテリー２０のスライド操作とを同時に行うことができるため、バッテリー２０をワンハンドかつワンタッチで簡単に着脱することができる。
【図面の簡単な説明】
【００３９】
【図１】本発明の一実施形態に係るマイクロホン装置（発言ユニット）の斜視図。
【図２】上記発言ユニットを底面側から見て、バッテリーを取り外した状態の分解斜視図。
【図３】発言ユニットの要部断面図。
【図４】バッテリーの斜視図。
【図５】ガイド溝とガイドリブの位置関係を説明する部分拡大断面図。
【図６】バッテリーの取り外し手順を説明する説明図。
【図７】従来の発言ユニットの斜視図。
【図８】従来の発言ユニットのバッテリーの取付態様を示す部分拡大断面図。
【符号の説明】
【００４０】
１０  発言ユニット
２０  バッテリー
２１  ガイド溝
２１ａ  縦ガイド溝
２１ｂ  横ガイド溝
２２  係止凹部
３０  ガイドリブ
４０  ロックアーム
４２  係止凸部
５０  解除ボタン
【図１】
2009181937.tif 000003
【図２】
2009181937.tif 000004
【図３】
2009181937.tif 000005
【図４】
2009181937.tif 000006
【図５】
2009181937.tif 000007
【図６】
2009181937.tif 000008
【図７】
2009181937.tif 000009
【図８】
2009181937.tif 000010